(57)【要約】    【課題】左打ち時にも遊技者が安心してゲームを行えるようにする。    【解決手段】遊技盤１２の遊技領域１５の略中央に配置された中央役物１６の左右両側に左打ち通路２７と右打ち通路２８とを備え、通常はガイドレール１３を経て遊技領域１５の上部へと打ち込まれた遊技球を左打ち通路２７に集中させる左打ちを行い、特定の遊技状態となったときに右打ち通路２８に集中させる右打ちを行う。左打ち通路２７と右打ち通路２８との境界部４４の近傍に、ガイドレール１３の外レール１３ｂに沿って右打ち通路２８へと案内される右打ち時の遊技球の通過を許容し、且つ左打ち時の遊技球の右打ち通路２８への侵入を阻止する阻止手段４９を備えている。【選択図】  図２
2012095908.tif 000002
【特許請求の範囲】
【請求項１】
遊技盤の遊技領域の略中央に配置された中央役物の左右両側に左打ち通路と右打ち通路とを備え、通常はガイドレールを経て前記遊技領域の上部へと打ち込まれた遊技球を前記左打ち通路に集中させる左打ちを行い、特定の遊技状態となったときに前記右打ち通路に集中させる右打ちを行うようにした弾球遊技機において、前記左打ち通路と前記右打ち通路との境界部の近傍に、前記ガイドレールの外レールに沿って前記右打ち通路へと案内される右打ち時の遊技球の通過を許容し、且つ左打ち時の遊技球の前記右打ち通路への侵入を阻止する阻止手段を備えたことを特徴とする弾球遊技機。
【請求項２】
前記中央役物は前記境界部を頂部とする外周壁を有し、該頂部の近傍に前記阻止手段を配置したことを特徴とする請求項１に記載の弾球遊技機。
【請求項３】
前記阻止手段は前記中央役物の前記外周壁に設けたことを特徴とする請求項２に記載の弾球遊技機。
【請求項４】
前記阻止手段は前記中央役物の頂部の近傍から前記外レール側へと突出し且つ左打ち時の遊技球を前記左打ち通路へと返す返し部材を含むことを特徴とする請求項１〜３の何れかに記載の弾球遊技機。
【請求項５】
前記返し部材は前記外レールに沿って案内される右打ち時の遊技球と接触したときに弾性変形して通過を許容し且つ左打ち時の遊技球と接触したときに前記左打ち通路へと戻す弾性変形部と、該弾性変形部を支持し且つ左打ち時の遊技球を前記左打ち通路へと返す基部とを有することを特徴とする請求項４に記載の弾球遊技機。
【請求項６】
前記阻止手段は前記中央役物の前記右打ち通路の頂部近傍に落下した遊技球を前記左打ち通路へと返す返し通路を有することを特徴とする請求項１〜５の何れかに記載の弾球遊技機。
【発明の詳細な説明】
【技術分野】
【０００１】
本発明は、パチンコ機、アレンジボール機等の弾球遊技機に関するものである。
【背景技術】
【０００２】
例えばパチンコ機には、遊技盤の前面に装着されたガイドレール、外周飾り部材等の外周部材の内側に略円形状の遊技領域を形成し、この遊技領域の略中央に、液晶式等の画像表示手段を有する中央役物を配置すると共に、中央役物の左右両側に左打ち通路と右打ち通路とを設け、遊技状況に応じて遊技者が左打ち通路と右打ち通路との何れかに遊技球を集中させながらゲームを行えるようにしたものがある。
【０００３】
この種のパチンコ機には、中央役物の山形状に形成された上端外周壁と、この中央役物の上側の遊技領域に配置された複数本の遊技釘とにより境界部を構成し、この境界部よりも左側を左打ち通路、右側を右打ち通路としたもの（特許文献１）と、中央役物の上端の頂部を境界部とし、境界部よりも左側を左打ち通路、右側を右打ち通路としたもの（特許文献２）とがある。
【先行技術文献】
【特許文献】
【０００４】
【特許文献１】特開２０１０−１４２３３１号公報
【特許文献２】特開２００５−５４２号公報
【発明の概要】
【発明が解決しようとする課題】
【０００５】
ゲームに際しては発射手段の打撃力を調整しながらガイドレールに沿って遊技領域の上部へと遊技球を打ち込んで行く。この場合、通常の左打ち時には境界部よりも手前側で遊技球がガイドレールから離れて左打ち通路の上部に落下し、また特定の遊技状態で行う右打ち時には、ガイドレールに沿って案内される遊技球が境界部を通過して右打ち通路に達するように遊技球を発射させる。
【０００６】
しかし、遊技盤の遊技領域には、遊技球の落下速度を抑制しながら遊技球の動きに変化を与えるために、遊技領域の上部から下部にわたって多数の遊技釘を配置している。このため従来のパチンコ機では、前者、後者の何れの場合にも、通常の左打ち時に左打ち通路を狙って発射した遊技球が、その左打ち通路内の遊技釘によって跳ね返されて右打ち通路内へと流れる惧れがあり、遊技者は通常の左打ち時には安心してゲームを行えないという問題がある。
【０００７】
本発明は、このような従来の問題点に鑑み、左打ち時にも遊技者が安心してゲームを行える弾球遊技機を提供することを目的とする。
【課題を解決するための手段】
【０００８】
本発明は、遊技盤１２の遊技領域１５の略中央に配置された中央役物１６の左右両側に左打ち通路２７と右打ち通路２８とを備え、通常はガイドレール１３を経て前記遊技領域１５の上部へと打ち込まれた遊技球を前記左打ち通路２７に集中させる左打ちを行い、特定の遊技状態となったときに前記右打ち通路２８に集中させる右打ちを行うようにした弾球遊技機において、前記左打ち通路２７と前記右打ち通路２８との境界部４４の近傍に、前記ガイドレール１３の外レール１３ｂに沿って前記右打ち通路２８へと案内される右打ち時の遊技球の通過を許容し、且つ左打ち時の遊技球の前記右打ち通路２８への侵入を阻止する阻止手段４９を備えたものである。
【０００９】
前記中央役物１６は前記境界部４４を頂部４５とする外周壁４２を有し、該頂部４５の近傍に前記阻止手段４９を配置してもよい。前記阻止手段４９は前記中央役物１６の前記外周壁４２に設けたものである。前記阻止手段４９は前記中央役物１６の頂部４５の近傍から前記外レール１３ｂ側へと突出し且つ前記左打ち時の遊技球を前記左打ち通路２７へと返す返し部材５０を含むものでもよい。
【００１０】
前記返し部材５０は前記外レール１３ｂに沿って案内される右打ち時の遊技球と接触したときに弾性変形して通過を許容し且つ且つ左打ち時の遊技球と接触したときに前記左打ち通路２７へと戻す弾性変形部５２と、該弾性変形部５２を支持し且つ左打ち時の遊技球を前記左打ち通路２７へと返す基部５１とを有するものでもよい。前記阻止手段４９は前記中央役物１６の前記右打ち通路２８の頂部４５近傍に落下した遊技球を前記左打ち通路２７へと返す返し通路６７，６７ａを有するものでもよい。
【発明の効果】
【００１１】
本発明によれば、ガイドレールの外レールに沿って右打ち通路へと案内される右打ち時の遊技球は通過を許容し、左打ち時の遊技球の右打ち通路への侵入は阻止手段により阻止できるので、左打ち時にも遊技者は安心してゲームを行える利点がある。
【図面の簡単な説明】
【００１２】
【図１】本発明の第１の実施形態を示すパチンコ機の正面図である。
【図２】同遊技盤の正面図である。
【図３】同要部の正面断面図である。
【図４】同要部の側面断面図である。
【図５】本発明の第２の実施形態を示す要部の正面断面図である。
【図６】本発明の第３の実施形態を示す要部の正面断面図である。
【図７】同要部の側面断面図である。
【図８】同返し部材の斜視図である。
【図９】本発明の第４の実施形態を示す要部の正面断面図である。
【図１０】同要部の側面断面図である。
【図１１】本発明の第５の実施形態を示す要部の正面断面図である。
【図１２】同側面断面図である。
【図１３】本発明の第６の実施形態を示す要部の正面断面図である。
【図１４】同要部の側面断面図である。
【図１５】同要部の側面断面図である。
【図１６】本発明の第７の実施形態を示す要部の正面断面図である。
【図１７】同要部の側面断面図である。
【図１８】本発明の第８の実施形態を示す要部の正面断面図である。
【図１９】同要部の側面断面図である。
【図２０】同要部の平面断面図である。
【図２１】本発明の第９の実施形態を示す要部の正面断面図である。
【図２２】同要部の平面断面図である。
【図２３】本発明の第１０の実施形態を示す要部の正面断面図である。
【図２４】本発明の第１１の実施形態を示す要部の正面断面図である。
【図２５】本発明の第１２の実施形態を示す要部の正面断面図である。
【図２６】同要部の平面断面図である。
【図２７】本発明の第１３の実施形態を示す要部の正面断面図である。
【発明を実施するための形態】
【００１３】
以下、本発明の第１の実施形態を図面に基づいて詳述する。図１〜図４は本発明をパチンコ機に採用した第１の実施形態を例示する。パチンコ機は、図１に示すように、矩形状の外枠１と、この外枠１の前側にヒンジ２により縦軸廻りに開閉自在に枢着された前枠３とを備えている。前枠３の前側にはガラス扉４と前面板５とが上下に配置され、前枠３に対してヒンジ２と同じ側のヒンジ６により縦軸廻りに開閉自在に枢支されている。
【００１４】
前面板５には遊技球を発射する発射手段７が裏面側に装着され、発射手段７の発射用の遊技球を貯留する球供給皿８と、発射手段７の打撃力を調整可能な発射ハンドル９が前面側に装着されている。発射手段７は発射レール１０上の遊技球を打撃槌１１で打撃して発射するように構成され、また発射ハンドル９の操作により、打撃槌１１の打撃力を調整できるようになっている。ガラス扉４の裏側では、前枠３に遊技盤１２が着脱自在に装着されている。ガラス扉４は遊技盤１２を視認可能なガラス板４ａを有する。
【００１５】
遊技盤１２の前面には、図２に示すように、発射手段７から発射された遊技球を誘導するガイドレール１３と、略円弧状の外周飾り部材１４とが周方向に装着され、そのガイドレール１３と外周飾り部材１４との内側が略円形状の遊技領域１５となっている。ガイドレール１３は内レール１３ａと外レール１３ｂとを有し、その内レール１３ａと外レール１３ｂの一部と外周飾り部材１４とにより遊技領域１５が画成されている。
【００１６】
遊技領域１５には中央役物１６、普通図柄始動手段１７、第１特別図柄始動手段１８、第２特別図柄始動手段１９、大当たり用の開閉入賞手段２０、普通入賞手段２１，２２、普通図柄表示手段２３、第１特別図柄表示手段２４、第２特別図柄表示手段２５、装飾体等の各種の遊技部品が配置されている。
【００１７】
中央役物１６は画像表示手段２６を備え、遊技領域１５の左右方向の略中央に配置されており、この中央役物１６の左側が左打ち通路２７、右側が右打ち通路２８となっている。従って、遊技領域１５の上部に打ち込まれた遊技球は、左打ち通路２７と右打ち通路２８との何れかの落下通路を経て順次落下する。
【００１８】
中央役物１６の下側の左右略中央には、この中央役物１６と最下部のアウト球口２９との間に第１特別図柄始動手段１８と第２特別図柄始動手段１９とが上下方向に配置されている。中央役物１６の左下側には左打ち通路２７を置いて複数個の普通入賞手段２１が配置され、また右側には右打ち通路２８中に普通図柄始動手段１７が配置され、更に中央役物１６の右下側には開閉入賞手段２０、普通入賞手段２２が配置されている。
【００１９】
中央役物１６は遊技盤１２から前側に突出する前飾り枠３０を有し、その前飾り枠３０は左打ち通路２７側に開口する球誘導口３１と、この球誘導口３１を経て誘導された遊技球を第１特別図柄始動手段１８の上方近傍で遊技盤１２の前側へと落下させる球落下部３２とを有し、また前面側の適当箇所に普通図柄表示手段２３と第１特別図柄表示手段２４、第２特別図柄表示手段２５とが装着されている。
【００２０】
普通図柄表示手段２３は普通図柄を変動表示するためのもので、複数種類の普通図柄（例えば２種類の「○」「×」）に対応する複数個の発光素子により構成されており、普通図柄始動手段１７が遊技球を検出することを条件に２個の発光素子が交互に点灯するように所定時間点滅して、普通図柄始動手段１７の遊技球の検出時に抽選した乱数値が予め定められた当たり判定値と一致した場合に当たり態様の「○」側の発光素子が点灯し、それ以外の場合に外れ態様の「×」側の発光素子が点灯して停止する。なお、変動後の普通図柄は１／１０程度の所定の確率で当たり態様となる。
【００２１】
第１特別図柄表示手段２４、第２特別図柄表示手段２５は発光部位の変化等で第１特別図柄、第２特別図柄を変動表示可能なセグメント式等の表示手段により構成されており、第１特別図柄表示手段２４は第１特別図柄始動手段１８が、第２特別図柄表示手段２５は第２特別図柄始動手段１９が夫々遊技球を検出することを条件に、第１特別図柄、第２特別図柄が所定時間変動して、第１特別図柄始動手段１８、第２特別図柄始動手段１９の遊技球の検出時に抽選された乱数値が予め定められた大当たり判定値と一致した場合に所定の大当たり態様で、それ以外の場合に外れ態様で停止するようになっている。
【００２２】
なお、変動後の第１特別図柄、第２特別図柄は、通常確率状態中は１／３５０等の通常確率で大当たり態様となり、大当たり状態終了後の高確率状態中は１／３５等の高確率で大当たり態様となる。大当たり状態中の場合には第１特別図柄、第２特別図柄は何れも変動しないし、一方が変動中の場合には他方は変動しない。また各特別図柄の始動検出は所定の上限数（例えば４）まで保留可能であり、両方に１以上の保留がある場合には、第２特別図柄表示手段２５の図柄変動が優先する。更に高確率状態中は第１特別図柄、第２特別図柄の変動時間も短縮される。
【００２３】
画像表示手段２６は第１特別図柄表示手段２４、第２特別図柄表示手段２５に対応する演出図柄表示手段３４を構成するもので、第１特別図柄、第２特別図柄の変動時にその図柄変動に同期して変動する１個又は複数個、例えば３個の演出図柄３４ａ〜３４ｃを変動表示する。演出図柄３４ａ〜３４ｃは第１特別図柄始動手段１８、第２特別図柄始動手段１９の遊技球の検出を条件に、抽選により決定された所定の演出図柄変動パターンを経て所定時間変動した後、第１特別図柄、第２特別図柄の変動終了に同期して所定の順序で順次停止する。なお、演出図柄表示手段３４は第１特別図柄表示手段２４、第２特別図柄表示手段２５に対応して別々に設けてもよい。
【００２４】
演出図柄３４ａ〜３４ｃの変動後の停止図柄は、第１特別図柄、第２特別図柄が大当たり態様で停止する場合には全てが揃う大当たり演出態様となり、第１特別図柄、第２特別図柄が外れ態様で停止する場合には少なくとも一部が異なる外れ演出態様となる。
【００２５】
例えば、演出図柄３４ａ〜３４ｃには０〜９までの数字図柄が使用されており、特別図柄が大当たり態様で停止する場合には演出図柄３４ａ〜３４ｃは「７・７・７」等の大当たり演出態様で停止し、特別図柄が外れ態様で停止する場合には演出図柄３４ａ〜３４ｃは「２・４・５」等の外れ演出態様で停止する。
【００２６】
第１特別図柄始動手段１８は非開閉式であって、画像表示手段２６の下側に配置されており、この第１特別図柄始動手段１８は右打ち通路２８に比較して左打ち通路２７を経て落下する遊技球が入賞し易くなっている。
【００２７】
第２特別図柄始動手段１９は開閉式であって、左右一対の開閉部材１９ａを備えた電動チューリップ式入賞手段等により構成され、普通図柄表示手段２３の変動後の普通図柄が当たり態様で停止した場合に所定の開放パターンで開放するようになっている。
【００２８】
第２特別図柄始動手段１９の開放パターンには、開放時間の短い通常パターン（例えば０．２秒×１回）と開放時間の長い特別パターン（例えば２秒×３回）とがあり、通常確率状態中は通常パターンが、高確率状態中は特別パターンが夫々選択される。
【００２９】
開閉入賞手段２０は右打ち通路２８の下部に遊技盤１２から前側に突出する前飾り枠３５と、この前飾り枠３５に上側に開口して形成された大入賞口３６と、大入賞口３６を上側から開閉する開閉板３７とを有する。
【００３０】
開閉板３７は前進時に大入賞口３６を閉鎖して遊技球を特別図柄始動手段１８，１９へと案内し、後退時に大入賞口３６を開放して遊技球が大入賞口３６に入賞すべく前後方向に出退自在である。
【００３１】
開閉入賞手段２０は変動後の第１特別図柄、第２特別図柄が大当たり態様で停止した場合に発生する大当たり状態中に所定の開放パターンで開閉するもので、この開閉入賞手段２０に遊技球が入賞したときには、他の普通入賞手段２１，２２等への入賞よりも多くの賞球が払い出されるようになっている。なお、開閉入賞手段２０の開閉パターンは、開放後に所定数（例えば１０個）の遊技球が入賞するか、所定時間（例えば３０秒）が経過するかの何れか早い方で閉じる開閉動作を１ラウンドとして、そのラウンド数の違いにより複数の種類があり、大当たりの抽選時にその複数種類の開閉パターンの何れかが抽選される。普通図柄始動手段１７は遊技球の検出を条件に普通図柄表示手段２３の普通図柄を変動させるためのもので、右打ち通路２８の途中に配置されている。
【００３２】
前飾り枠３０は図３、図４に示すように、遊技盤１２の前面に当接する取り付けベース３９と、この取り付けベース３９から後側に突出して遊技盤１２の装着孔４０に嵌合する嵌合壁４１と、取り付けベース３９から前側に突出する外周壁４２と、外周壁４２の前側に装着された前飾り板４３とを備えている。外周壁４２は画像表示手段２６の前下側の球落下部３２等を除く略全周に備え、また前飾り板４３の内周には画像表示手段２６に対応する表示窓４３ａが形成されている。
【００３３】
外周壁４２はその左右方向の略中央部に頂部４５を有し、この頂部４５はガイドレール１３の外レール１３ｂの下側近傍で左打ち通路２７と右打ち通路２８との境界部４４に位置している。そして、外周壁４２には頂部４５から右側に外レール１３ｂに沿って外側へと徐々に低くなる上通路壁４６が円弧状に形成され、また頂部４５の左側に外レール１３ｂとの間で左打ち通路２７を形成する傾斜壁等の左通路壁４７が形成されている。
【００３４】
左通路壁４７は左打ち通路２７の通路幅を大にするために、右打ち通路２８の上通路壁４６に比較して遊技領域１５の中心側に位置しており、その左打ち通路２７側の遊技領域１５には上部から下部側に跨がって多数の遊技釘４８が設けられている。なお、右打ち通路２８にも中央役物１６の下側部分には遊技釘４８が設けられている。
【００３５】
左打ち通路２７と右打ち通路２８との境界部４４、例えば中央役物１６の頂部４５の近傍には、ガイドレール１３に沿って右打ち通路２８側へと案内される右打ち時の遊技球の通過を許容し、且つ境界部４４の近傍から左打ち通路２７側でガイドレール１３から離れて落下する等、境界部４４よりも左打ち通路２７側から境界部４４側へと移動する左打ち時の遊技球の右打ち通路２８への侵入を阻止する阻止手段４９が設けられている。
【００３６】
この阻止手段４９は図３、図４に示すように返し部材５０により構成されている。返し部材５０は外レール１３ｂに沿って案内される右打ち時の遊技球を通過させ、右打ち通路２８に侵入しようとする左打ち時の遊技球が衝突又は接触したときに、その遊技球を左打ち通路２７へと返すためのものであって、突出基部５１と、この突出基部５１の先端側に連続状に設けられた弾性変形部５２とを有する舌片状に構成され、突出基部５１と一体の取り付け部５３を介して前飾り枠３０に着脱自在に取り付けられている。なお、返し部材５０は外周壁４２の頂部４５から外レール１３ｂの近傍へと右打ち通路２８側に傾斜している。
【００３７】
突出基部５１は弾性変形部５２を支持すると共に、左打ち時の遊技球が左打ち通路２７側から衝突したときに、その遊技球を受けて左打ち通路２７へと返すためのもので、例えば板バネ、鉄板その他の金属板、合成樹脂板等の所定の硬さを有する材料により構成されている。
【００３８】
弾性変形部５２は外レール１３ｂに沿って所定の慣性力で境界部４４を移動する右打ち時の遊技球と接触したときには抵抗なく弾性変形してその遊技球を右打ち通路２８へと通過させ、それ以外の慣性力の小さい左打ち時の遊技球が接触したときにはその遊技球を左打ち通路２７へと返し、また右打ち通路２８から左打ち通路２７への遊技球の戻りを規制するように、ゴム等の軟質の弾性材により構成されている。
【００３９】
この弾性変形部５２は外レール１３ｂに接近する先端程その肉厚が薄くなっており、また先端側は外レール１３ｂに沿って通過する右打ち時の遊技球と接触するようになっている。なお、弾性変形部５２は突出基部５１の先端に接着、焼き付けその他の手段により連続状に固着されている。
【００４０】
取り付け部５３は板バネ、鉄板等により突出基部５１と一体に構成され、Ｕ字状、その他の形状に屈曲する抜け止め部５６の弾性に抗して外周壁４２の取り付け凹部５４内に着脱自在に挿入され、前飾り板４３で押えられている。なお、返し部材５０は外周壁４２の前後幅と略同じか、又は若干狭い程度の前後幅を有する。また返し部材５０は右打ち時の遊技球の右打ち通路２８への通過を許容する一方向弁を外レール１３ｂとの間で構成している。
【００４１】
右打ち通路２８の途中には、図２に示すように外レール１３ｂに沿って案内された遊技球が衝突する球止め部材５５が設けられている。また右打ち通路２８は外レール１３ｂ、外周飾り部材１４に沿って概ね円弧状になっているが、球止め部材５５の近傍で段違い状になっている。
【００４２】
ゲームに際しては、球供給皿８から供給された遊技球を発射手段７により遊技領域１５へと遊技球を発射させる。このとき通常確率状態であれば、遊技者は第１特別図柄始動手段１８に入賞し易い左打ち通路２７に遊技球が集中するように左打ちをする。
【００４３】
左打ち時には発射ハンドル９を操作して、ガイドレール１３によって案内された遊技球が境界部４４よりも手前側で外レール１３ｂから離れて左打ち通路２７上に落下するように発射手段７の打撃力を調整する。すると左打ち通路２７の上部に落下した遊技球は、多数の遊技釘４８等に衝突しながら左打ち通路２７内を順次落下する。
【００４４】
左打ち通路２７を落下中の遊技球が中央役物１６の球誘導口３１、球落下部３２等を経て第１特別図柄始動手段１８に入賞すると、第１特別図柄表示手段２４の第１特別図柄、演出図柄表示手段３４の演出図柄３４ａ〜３４ｃが同期して所定時間変動する。そして、第１特別図柄始動手段１８に遊技球が入賞したときの抽選結果が大当たりであるか否かに応じて、第１特別図柄表示手段２４の変動後の第１特別図柄が大当たり態様又は外れ態様で停止し、演出図柄表示手段３４の演出図柄３４ａ〜３４ｃが大当たり演出態様又は外れ演出態様で停止する。
【００４５】
通常確率状態中でも右打ち通路２８に進入した遊技球が普通図柄始動手段１７に入賞すれば、普通図柄表示手段２３の普通図柄が変動して変動後に当たり態様で停止することもある。しかし、通常確率状態中は第２特別図柄始動手段１９の開放時間が極僅かであるため、第２特別図柄始動手段１９に遊技球が入賞する可能性は非常に低い。
【００４６】
第１特別図柄表示手段２４の変動後の第１特別図柄が大当たり態様で停止すれば大当たり状態となり、開閉入賞手段２０が抽選された所定の開閉パターンで所定ラウンド数開閉動作を繰り返すので、遊技者は開閉入賞手段２０に遊技球が入賞し易い右打ち通路２８側に遊技球を集中させるべく右打ちをする。
【００４７】
右打ち通路２８に入った遊技球は普通図柄始動手段１７に入賞するか、入賞しないで下方に落下した後、特別図柄始動手段１８，１９又はアウト球口２９側へと夫々流下する。そして大当たりの場合には、所定の開閉パターンで開閉する大入賞口３６に入賞する。
【００４８】
普通図柄始動手段１７に遊技球が入ると、普通図柄表示手段２３の普通図柄が所定時間変動して当たり態様又は外れ態様で停止する。そして、当たり態様で停止した場合には、第２特別図柄始動手段１９が所定の開閉パターンで開閉し、第２特別図柄始動手段１９に遊技球が入賞し易くなる。
【００４９】
通常の左打ち時には発射手段７の打撃力を調整して、境界部４４の左側で遊技球が外レール１３ｂから離れて左打ち通路２７の上部に落下するように発射する。このとき左打ち通路２７の上部には境界部４４の近傍を含む領域に複数の遊技釘４８があるので、左打ち通路２７に落下した遊技球はその何れかの遊技釘４８に衝突して跳ね返される。例えば図３に示すように最上位の遊技釘４８ａに衝突した遊技球が跳ね返されてａ矢示方向に飛んだり、ｂ矢示方向、ｄ矢示方向に飛んで外レール１３ｂに衝突したりする。また外レール１３ｂに沿って移動中に失速してｃ矢示方向に落下する遊技球もある。
【００５０】
このような場合にも、左打ち通路２７と右打ち通路２８との境界部４４に阻止手段４９を構成する返し部材５０を設けることにより、この返し部材５０によって左打ち時の遊技球がの右打ち通路２８への侵入を阻止することができ、遊技者は安心して左打ちを行うことができる。
【００５１】
ａ矢示方向の遊技球Ｂａは返し部材５０の突出基部５１側で受けて左打ち通路２７へと返すことができる。また一旦外レール１３ｂに衝突してから弾性変形部５２側へとｂ矢示のように落下する遊技球Ｂｂ、返し部材５０の手前側で失速して外レール１３ｂから返し部材５０へとｃ矢示方向に落下する遊技球Ｂｃ、返し部材５０の略真上で外レール１３ｂに衝突するようにｄ矢示方向に飛ぶ遊技球Ｂｄがあっても、それらの遊技球Ｂｂ，Ｂｃ，Ｂｄは外レール１３ｂに沿って案内される右打ち時の遊技球に比較して既に慣性力が小さくなっているので、返し部材５０の一部、例えば弾性変形部５２等に接触したときの接触抵抗により左打ち通路２７へと返すことができる。
【００５２】
また右打ち時には所定の慣性力で外レール１３ｂに沿って境界部４４を通過するように発射手段７により遊技球を発射する。そして、外レール１３ｂに沿って案内される遊技球が返し部材５０の先端側の弾性変形部５２に接触すると、図３に二点鎖線で示すように弾性変形部５２が抵抗なく弾性変形して屈曲するため、遊技球を右打ち通路２８へと円滑に打ち込むことができる。このため境界部４４に返し部材５０があるにも拘わらず、その返し部材５０が右打ちに支障を来す等の惧れはない。
【００５３】
図５は本発明の第２の実施形態を例示する。返し部材５０は図（Ａ）（Ｂ）に示すようにゴム等の舌片状の軟質弾性体５７の基部側に板バネ、鉄板等の支持部材５８を重合して結合し、その重合部分を突出基部５１とし、重合部分から先端側を弾性変形部５２としたものでもよい。
【００５４】
図５（Ａ）の返し部材５０は、軟質弾性体５７の基部に右打ち通路２８側から板状の支持部材５８が重合して接着等で固着されている。図５（Ｂ）の返し部材５０は、軟質弾性体５７の基部側に挿入凹部５９が形成され、その挿入凹部５９に支持部材５８が挿入されて固着又は着脱自在に結合されている。支持部材５８は外周壁４２の取り付け凹部５４内に挿入される取り付け部５３を有し、また取り付け部５３には抜け止め部５６が設けられている。他の構成は第１の実施形態と略同じである。
【００５５】
このように軟質弾性体５７の基部に右打ち通路２８側から板状の支持部材５８を重ねて、その重合部分により突出基部５１を構成すれば、返し部材５０を比較的容易に製作でき、また第１の実施形態に比較して弾性変形部５２の剥離等を容易に防止できる。また軟質弾性体５７により突出基部５１に緩衝作用を持たせることもできる。
【００５６】
図６〜図８は本発明の第３の実施形態を例示し、返し部材５０の全体をゴム等の軟質弾性材により一体に成型したものである。この返し部材５０は突出基部５１、弾性変形部５２、取り付け部５３を含む全体がゴム等により一体に成型されている。弾性変形部５２は先端側が薄肉状であり、先端から突出基部５１に跨がるスリット５２ａが幅方向に複数設けられている。取り付け部５３には取り付け凹部５４に圧入され、また取り付け部５３の適当箇所には抜け止め部５６が幅方向に設けられている。他の構成は第１の実施形態と略同じである。
【００５７】
このように返し部材５０に使用するゴム等の弾性材、肉厚等を適宜選択すると共に、弾性変形部５２にスリット５２ａ等を設けることにより、返し部材５０の全体をゴム等により一体に成型することもできる。しかもこの場合には、返し部材５０がゴム等による一体成型品であるため容易且つ安価に製作でき、また返し部材５０のガタツキ等も容易に防止できる。
【００５８】
図９、図１０は本発明の第４の実施形態を例示する。この返し部材５０は弾性変形部５２から取り付け部５３までがゴム等の軟質弾性材により一体に形成され、その突出基部５１と取り付け部５３とに跨がって鉄板等の補強板６０がインサートされている。
【００５９】
このように返し部材５０は突出基部５１と取り付け部５３とに補強板６０を挿入して、突出基部５１を硬くし、その先端の弾性変形部５２を柔らかくしてもよい。この場合には、突出基部５１と取り付け部５３とを補強板６０によって補強できるので、突出基部５１と弾性変形部５２との境界部分で返し部材５０が座屈しない程度の厚さであれば十分であり、全体の肉厚を厚くする必要もない。
【００６０】
図１１、図１２は本発明の第５の実施形態を例示する。この返し部材５０は弾性変形部５２から取り付け部５３までの全体がゴム等の軟質弾性材により一体に形成された軟質弾性体５７と、外周壁４２の頂部４５から一体に突出し且つ軟質弾性体５７の突出基部５１に相当する部分を右打ち通路２８側から受ける突出壁６１とを備えている。従って、軟質弾性体５７と突出壁６１との重合部分によって突出基部５１が構成されている。
【００６１】
外周壁４２の取り付け凹部５４は遊技盤１２側から前側に凹入状に形成され、その取り付け凹部５４に挿入された軟質弾性体５７の取り付け部５３は、裏側から遊技盤１２に当接している。軟質弾性体５７の弾性変形部５２の後端と遊技盤１２との間には隙間があり、弾性変形部５２が遊技球と接触して弾性変形するときに、弾性変形部５２と遊技盤１２との間で摩擦抵抗が生じないようになっている。他の構成は第１の実施形態、第４の実施形態と略同じである。
【００６２】
このように弾性変形部５２から取り付け部５３に跨がる軟質弾性体５７を使用して返し部材５０を構成する場合には、外周壁４２に一体又は別体の突出壁６１を設け、この突出壁６１により軟質弾性体５７を補強して突出基部５１を構成してもよい。この場合には、支持板６２をインサートする場合に比較して、軟質弾性体５７を含む全体の製作コストを低減できる。なお、軟質弾性体５７は突出壁６１に当接するだけでもよいし、接着等の適宜手段で固定してもよい。
【００６３】
図１３〜１５は本発明の第６の実施形態を例示する。この返し部材５０は、図１３、図１４に示すように、外周壁４２の頂部４５から右打ち通路２８側に傾斜して突出する前後方向に複数の棒状の弾性杆６３により構成されている。弾性杆６３はピアノ線等の弾性材から成り、合成樹脂性製の取り付け部５３にモールド等により固定されている。弾性杆６３の先端は外レール１３ｂに沿って案内される遊技球と接触するように外レール１３ｂに接近し、右打ち通路２８側へと若干湾曲している。なお、弾性杆６３は一本でもよい。他の構成は第１の実施形態と略同じである。
【００６４】
この場合にも、左打ち時の遊技球は弾性杆６３と接触することによって左打ち通路２７へと返すことができる。また右打ち時の遊技球は外レール１３ｂに沿って所定の慣性力で案内されるため、弾性杆６３を弾性変形させて右打ち通路２８側へと通過する。従って、返し部材５０はピアノ線等の弾性杆６３を使用して構成することもできる。
【００６５】
返し部材５０を複数本の弾性杆６３により構成する場合、各弾性杆６３の先端側は図１４に示すように同一高さにしてもよいが、図１５に示すように長い弾性杆６３と短い弾性杆６３とを組み合わせて、前後方向の略中央部分側の１本又は２本の弾性杆６３等、その一部の弾性杆６３の先端が外レール１３ｂに沿って案内される右打ち時の遊技球と接触するようにしてもよい。このようにすれば、多くの弾性杆６３が遊技球と接触する場合に比較して弾性杆６３と右打ち時の遊技球との接触抵抗を小さくしながら、左打ち時の遊技球を左打ち通路２７側へと確実に返すことができる。
【００６６】
図１６、図１７は本発明の第７の実施形態を例示する。この返し部材５０はバネ板、鉄板、合成樹脂板等の板材を屈曲させて構成されており、外周壁４２の取り付け凹部５４に挿入して保持される取り付け部５３と、この取り付け部５３の上端から左打ち通路２７側に傾斜して屈曲し且つ外周壁４２の頂部４５から外レール１３ｂ側に突出する突出部６４と、突出部６４の上端から右打ち通路２８側に屈曲する屈曲部６５とを有する。屈曲部６５の上端と外レール１３ｂとの間隔は遊技球の直径よりも僅かに大であって、外レール１３ｂに沿って案内される右打ち時の遊技球は接触せずに通過するが、左打ち時の遊技球は通過し難くなっている。
【００６７】
このような構成の返し部材５０を使用することもできる。即ち、左打ち時に遊技釘４８によりａ矢示方向に跳ね返された遊技球Ｂａ、遊技釘４８に衝突してｂ矢示のように外レール１３ｂを経て跳ね返された遊技球Ｂｂ、或いはｃ矢示のように失速する遊技球Ｂｃ等があっても、それらの遊技球は返し部材５０の突出部６４又は屈曲部６５と接触することにより左打ち通路２７側へと戻すことができる。
【００６８】
ただ返し部材５０と接触せずにその先端部の略真上で外レール１３ｂに衝突するようにｄ矢示方向に飛ぶ遊技球Ｂｄがあれば、その遊技球は右打ち通路２８側を通過することになるが、それは極く稀であり、事実上無視できる程度である。従って、返し部材５０は固定又は固定に近い状態で設けてもよい。
【００６９】
図１８〜図２０は本発明の第８の実施形態を例示する。中央役物１６の外周壁４２はその頂部４５から右側に狭隘な右打ち通路２８を形成すべく外レール１３ｂの近くに配置されているが、この外周壁４２の頂部４５と外レール１３ｂとの間隔は、遊技球の直径よりも大である。この実施形態では、頂部４５の近傍には返し部材５０等は設けずに、左打ち時の遊技球を右打ち通路２８の始端側から左打ち通路２７側へと返す返し通路６７によって阻止手段４９が構成されている。
【００７０】
返し通路６７は境界部４４の右打ち通路２８側、即ち外周壁４２の頂部４５よりも右打ち通路２８側で且つ頂部４５の近傍で上通路壁４６に形成され上向きに開口する入口６８と、傾斜部に形成され左打ち通路２７側に開口する出口６９とを有し、頂部４５を越えて右打ち通路２８の始端側に入った遊技球を入口６８でｅ矢示方向に捕捉して出口６９から左打ち通路２７側へとｆ矢示方向に返すようになっている。前飾り板４３には返し通路６７内を移動中の遊技球を前側から視認できるように複数個の通孔を形成する等により視認部７０が設けられている。
【００７１】
なお、入口６８は上壁部の長手方向に長い長孔状になっているが、長孔状である必要はない。また前飾り板４３には返し通路６７内の遊技球を視認する視認部７０を設けているが、この視認部７０は前飾り板４３の一部に透明板を設ける等、透明部材により構成してもよい。また返し通路６７の前側にはガラス板４ａがあるため、返し通路６７の前側は前飾り板４３のない開放状態にして、その開放部分により視認部７０を構成してもよい。
【００７２】
遊技者は左打ち時には左打ち通路２７の上部に遊技球が集中するように発射し、その一部が遊技釘４８に衝突して頂部４５側へと跳ね返されることがある。しかし、その頂部４５を越えたとしても、左打ち時の遊技球は慣性力が弱いため、外レール１３ｂに衝突して又は外レール１３ｂに衝突せずに右打ち通路２８の始端側の上壁部側に落下する。
【００７３】
これらの遊技球は上壁部を経て入口６８に入るか、直接入口６８に入るので、返し通路６７を経て出口６９から左打ち通路２７へと返される。外レール１３ｂに沿って案内されながら、入口６８よりも左側で失速した遊技球も同様である。従って、中央役物１６の前構造体に返し通路６７を設けることによって、左打ち時の遊技球が不測に右打ち通路２８の始端側に入るようなことがあっても、その遊技球を返し通路６７で捕捉して左打ち通路２７へと戻すことが可能である。
【００７４】
図２１、図２２は本発明の第９の実施形態を例示する。この実施形態では、阻止手段４９は返し部材５０と返し通路６７とを併用して構成されている。返し部材５０はゴム等により一体に形成され、外周壁４２の頂部４５上に突出状に配置されているが、他の実施形態の何れかと同様に構成してもよい。返し通路６７は返し部材５０の右打ち通路２８側の始端部に形成された入口６８を有し、この入口６８の右打ち通路２８側の開口縁には、遊技球を入口６８側へと案内する突起７１が設けられている。他の構成は第８の実施形態と略同じである。
【００７５】
この場合には、左打ち時の遊技球は返し部材５０により左打ち通路２７側に返すが、仮に返し部材５０の上端と外レール１３ｂとの間を通過して右打ち通路２８の始端側に侵入するような遊技球があっても、その遊技球は入口６８で捕捉して返し通路６７を経て左打ち通路２７へと返すことができる。また入口６８の右打ち通路２８側の開口縁には突起７１があり、この突起７１によって遊技球を入口６８へと案内するようにしているので、入口６８の左右方向の寸法を小さくすることができる。
【００７６】
なお、図１８の場合にも、二点鎖線で示すように入口６８の右打ち通路２８側の開口縁に突起を設けてもよい。
【００７７】
図２３は本発明の第１０の実施形態を例示する。阻止手段４９に返し部材５０と返し通路６７とを併用する場合には、右打ち時に外レール１３ｂに沿って案内される遊技球と接触せずに、外レール１３ｂとの間隔を遊技球の直径よりも若干大きい程度に制限して左打ち時に遊技球を返す返し部材５０を設けてもよい。
【００７８】
図２３（Ａ）の返し部材５０はゴム、軟質樹脂等により前飾り枠３０とは別体に形成され、その取り付け部５３が外周壁４２の取り付け凹部５４に挿入されている。図２３（Ｂ）の返し部材５０は外周壁４２の頂部４５側を上方に突出して形成し、その頂部４５自体で返し部材５０が構成されている。
【００７９】
この場合には、左打ち時の遊技球の内、ａ矢示方向の遊技球Ｂａ、ｂ矢示方向の遊技球Ｂｂ、ｃ矢示方向の遊技球Ｂｃ等があっても、その殆どは返し部材５０により左打ち通路２７へと返すことができる。また返し部材５０の上側を右打ち通路２８側へと通過するｄ矢示方向の遊技球Ｂｄがあっても、その遊技球は返し通路６７の入口６８側で捕捉し、返し通路６７を経て右打ち通路２８へと返すことができる。
【００８０】
図２４は本発明の第１１の実施形態を例示する。阻止手段４９に返し部材５０と返し通路６７とを併用する場合には、この実施形態に示すように、返し部材５０を外周壁４２の頂部４５よりも左打ち通路２７側で頂部４５の近傍に配置すると共に、返し通路６７の入口６８を返し部材５０と頂部４５との間に配置してもよい。
【００８１】
この場合には、左打ち通路２７の頂部４５近傍にある返し部材５０により、左打ち時に返し部材５０側に跳ね返される遊技球を受けて左打ち通路２７へと返し、この返し部材５０を通過した遊技球があっても、頂部４５よりも手前側に落下すれば返し通路６７を経て左打ち通路２７へと返すことができる。従って、返し部材５０と返し通路６７とを併用する場合には、それらを外周壁４２の頂部４５よりも左打ち通路２７側に配置することも可能である。
【００８２】
なお、左打ち時の遊技球が頂部４５よりも右打ち通路２８側へと入るような場合には、二点鎖線で示すように右打ち通路２８の始端側に入口６８ａを有する別の返し通路６７ａを設けてもよい。
【００８３】
図２５、図２６は本発明の第１２の実施形態を例示する。返し部材５０と返し通路６７とを併用する阻止手段４９の場合には、その返し部材５０は左打ち通路２７と右打ち通路２８との境界部４４で遊技盤１２の前面に設けた遊技釘７２により構成することも可能である。
【００８４】
例えば、この実施形態では、中央役物１６の前構造体の外周壁４２の頂部４５に対して左打ち通路２７側の近傍に返し部材５０を構成する遊技釘７２が設けられている。遊技釘７２と外レール１３ｂとの間隔は、外レール１３ｂに沿って案内される遊技球とは干渉しない範囲で外レール１３ｂに近接して配置されている。なお、この遊技釘７２は図２５に二点鎖線で示すように頂部４５の上側、又は頂部４５の右打ち通路２８側の近傍でもよい。従って、返し部材５０は必ずしも中央役物１６の前飾り枠３０に設ける必要はない。
【００８５】
図２７は本発明の第１３の実施形態を例示する。この実施形態では、返し通路６７の出口６９の開口縁の上側等に弾性片７３が設けられ、この弾性片７３により出口６９からの遊技球の侵入を阻止するようにしている。
【００８６】
このように返し通路６７を採用するに際して、その出口６９への遊技球の侵入が問題になる場合には、出口６９の開口縁の上側等に弾性片７３を設ける等、出口６９側に侵入阻止部材を設ければよい。
【００８７】
以上、本発明の各実施形態について詳述したが、本発明はこの各実施形態に限定されるものではなく、本発明の趣旨を逸脱しない範囲で種々の変更が可能である。例えば、各実施形態では、阻止手段４９として返し部材５０及び／又は返し通路６７を設けたものを例示したが、これら以外の返し手段を使用してもよい。またその返し部材５０、返し通路６７も実施形態以外の形状、構造でもよい。
【００８８】
また右打ち通路２８が左打ち通路２７に比較して狭隘な場合の他に、右打ち通路２８が広い場合にも同様に実施可能である。中央役物１６の外周壁４４の頂部４５は左右方向の略中央部の他、左右方向の一方側に偏ったものでもよい。更に本発明はパチンコ機の他、アレンジボール機、その他の各種の弾球遊技機においても同様に実施可能であることは云うまでもない。
【符号の説明】
【００８９】
１２  遊技盤
１３  ガイドレール
１３ｂ  外レール
１５  遊技領域
１６  中央役物
２７  左打ち通路
２８  右打ち通路
４２  外周壁
４４  境界部
４５  頂部
４９  阻止手段
５０  返し部材
５１  突出基部
５２  弾性変形部
６７，６７ａ  返し通路
【図１】
2012095908.tif 000003
【図２】
2012095908.tif 000004
【図３】
2012095908.tif 000005
【図４】
2012095908.tif 000006
【図５】
2012095908.tif 000007
【図６】
2012095908.tif 000008
【図７】
2012095908.tif 000009
【図８】
2012095908.tif 000010
【図９】
2012095908.tif 000011
【図１０】
2012095908.tif 000012
【図１１】
2012095908.tif 000013
【図１２】
2012095908.tif 000014
【図１３】
2012095908.tif 000015
【図１４】
2012095908.tif 000016
【図１５】
2012095908.tif 000017
【図１６】
2012095908.tif 000018
【図１７】
2012095908.tif 000019
【図１８】
2012095908.tif 000020
【図１９】
2012095908.tif 000021
【図２０】
2012095908.tif 000022
【図２１】
2012095908.tif 000023
【図２２】
2012095908.tif 000024
【図２３】
2012095908.tif 000025
【図２４】
2012095908.tif 000026
【図２５】
2012095908.tif 000027
【図２６】
2012095908.tif 000028
【図２７】
2012095908.tif 000029